(57)【要約】【課題】ロック機構を備えるダイヤルにおいて、ロック機構を半固定的にロック解除状態とすることにより、ロック機構でのロック解除操作を簡略化したダイヤルを提供する。【解決手段】回転操作可能なダイヤル体１と、常態のロック位置においてダイヤル体１の回転を係止するロック部材（ダイヤルロック板）７と、操作されたときにダイヤルロック板７をロック位置からダイヤル体１の回転係止を解除するロック解除位置に移動させる第１ロック解除手段（ロックボタン）２と、ダイヤルロック板７をロック解除位置に保持する第２ロック解除手段（ロックレバー）３とを備える。【選択図】  図３
2015068872.tif 000002
【特許請求の範囲】
【請求項１】
回転操作可能なダイヤル体と、常態のロック位置において前記ダイヤル体の回転を係止するロック部材と、操作されたときに前記ロック部材を前記ロック位置から前記ダイヤル体の回転係止を解除するロック解除位置に移動させる第１ロック解除手段と、前記ロック部材を前記ロック解除位置に保持する第２ロック解除手段とを備えることを特徴とするロック機構付ダイヤル。
【請求項２】
前記ロック部材は前記ダイヤル体の回転方向には固定で、当該回転方向と垂直な方向に移動でき、前記ダイヤル体と当該ロック部材の一方に設けたロック爪が他方に設けたロック溝に嵌合して前記ダイヤル体の回転を係止する構成であることを特徴とする請求項１に記載のロック機構付ダイヤル。
【請求項３】
前記第１ロック解除手段は、初期位置への復帰習性が付与されており、この初期位置から移動操作されたときに前記ロック部材を前記回転方向と垂直な方向に移動させるロックボタンとして構成されていることを特徴とする請求項２に記載のロック機構付ダイヤル。
【請求項４】
前記ロックボタンは前記ダイヤル体の回転方向と垂直な方向に移動操作され、頭部が前記ダイヤル体の表面から突出され、当該頭部において押下操作されたときに前記ロック部材をロック解除位置に移動させることを特徴とする請求項３に記載のロック機構付ダイヤル。
【請求項５】
前記第２ロック解除手段は、少なくともロック解除状態を保持するロック解除保持位置への移動操作が可能なロックレバーとして構成されており、当該ロック解除保持位置に移動されたときに前記ロック部材を前記ロック解除位置に移動させかつ当該ロック解除位置に保持する構成であることを特徴とする請求項１ないし４のいずれかに記載のロック機構付ダイヤル。
【請求項６】
前記ロックレバーは前記ダイヤル体と同じ方向に回動操作可能であって前記ロック部材に対して係合可能なカム機構を備え、前記ロック解除保持位置に回動位置されたときに当該カム機構により前記ロック部材を前記ロック解除位置に移動保持することを特徴とする請求項５に記載のロック機構付ダイヤル。
【請求項７】
前記第２ロック解除手段は、前記第１ロック解除手段の移動操作により前記ロック部材をロック位置とロック解除位置に交互に切替えて移動させる構成であることを特徴とする請求項１ないし４のいずれかに記載のロック機構付ダイヤル。
【請求項８】
前記第１ロック解除手段はロックボタンであり、このロックボタンの移動により前記ロック部材と共に移動され、かつ前記ダイヤル体の回転方向に回転する回転子を備え、当該回転子は回転位置の変化によって前記ロック部材をロック位置とロック解除位置とに移動させるカム機構を備えることを特徴とする請求項７に記載のロック機構付ダイヤル。
【請求項９】
前記第２ロック解除手段は、前記ロック部材がロック解除位置に移動されたときの位置に前記第１ロック解除手段を係止する構成であることを特徴とする請求項１ないし４のいずれかに記載のロック機構付ダイヤル。
【請求項１０】
前記第１ロック解除手段は移動方向の回りに軸転操作が可能であり、前記第２ロック解除手段は軸転操作された第１ロック解除手段を、ロック解除位置に保持する係止構造を備えることを特徴とする請求項９に記載のロック機構付ダイヤル。
【請求項１１】
回転操作可能なダイヤル体と、前記ダイヤル体の回転を係止するロック位置と回転を許容するロック解除位置とを移動可能なロック部材と、前記ロック部材を前記ロック位置からロック解除位置に移動させる第１ロック解除手段と、前記ロック部材を前記ロック解除位置に保持する第２ロック解除手段とを備え、前記第１ロック解除手段と第２ロック解除手段は前記ダイヤル体の回転中心近傍もしくは当該ダイヤル体近傍に配設されることを特徴とするロック機構付ダイヤル。
【請求項１２】
前記ダイヤル体はカメラを含む光学機器のモード設定ダイヤルであることを特徴とする請求項１ないし１１のいずれかに記載のロック機構付ダイヤル。
【請求項１３】
前記ダイヤル本体の回転位置を電気信号として検出するコードパターンと導電ブラシを備えることを特徴とする請求項１ないし１２のいずれかに記載のロック機構付ダイヤル。
【請求項１４】
前記ダイヤル体の回転位置に対応したクリック機構を備えることを特徴とする請求項１ないし１３のいずれかに記載のロック機構付ダイヤル。
【発明の詳細な説明】
【技術分野】
【０００１】
本発明はダイヤルの回転位置をロック（係止）するためのロック機構を備えたダイヤルに関し、特にロックを解除することが可能なロック解除機構を備えたダイヤルに関するものである。
【背景技術】
【０００２】
カメラやビデオカメラには撮影モードを設定するためのモードダイヤルが設けられたものがある。例えば、デジタル一眼レフカメラでは、カメラボディの上カバー（軍艦部）に回転操作可能なモードダイヤルが配設されており、撮影者がモードダイヤルの回転位置を任意に設定することで、プログラム撮影、絞り優先撮影、シャッター速度優先撮影、等の撮影モードを設定することが可能である。従来、このモードダイヤルにはロック機構が設けられていなかったため、カメラを所持している際にダイヤルが他の物と触れる等して外力が加えられたときに、撮影者の意に反してモードダイヤルが回転され、回転位置が変化して所望の撮影ができなくなるという問題が生じていた。このような問題を解決するために、ダイヤルの回転位置をロックするためのロック機構を備えたダイヤルが提案されている。特許文献１の技術は、回転操作して露出補正値を設定する露出補正ダイヤルであるが、ダイヤルの表面中心位置にロック機構のロックボタンを配設し、このロックボタンを押下したときにロックを解除してダイヤルを回転操作することが可能な構成とされている。これと同様なロック機構を備えたダイヤルとして特許文献２の技術があり、モードダイヤルの表面一部に設けたボタンを押しながらロック解除することによりダイヤルを回転操作可能とするものである。一方、特許文献３には、ダイヤルの一部に円周方向に往復操作可能なロックレバーを設け、このロックレバーの円周位置によってダイヤルのロックとロック解除を行う技術が提案されている。
【先行技術文献】
【特許文献】
【０００３】
【特許文献１】特開昭５８−６３８８６号公報
【特許文献２】特開２００５−５０６３７号公報
【特許文献３】特開２０００−６６２６４号公報
【発明の概要】
【発明が解決しようとする課題】
【０００４】
特許文献１，２の技術のダイヤルは、ダイヤルの表面一部に配設したロックボタンを押下しないとロック解除してダイヤルを回転操作することができない構成である。そのため、ダイヤルを回転操作する際には必ずロックボタンを押下する必要があり、操作が面倒なものになる。デジタル一眼レフカメラのモードダイヤルは、カメラ背面から見てカメラボディの左上部に配設されることが多いため、撮影者はカメラを右手で保持しながら左手でダイヤルを操作する必要があり、この際にロックボタンを押下しながらのダイヤルの回転操作は行い難いとの指摘がある。特に、ダイヤルの回転位置を確認しながら頻繁にダイヤルを回転操作して撮影を行う一部の撮影者にとっては、ダイヤルのロック機構の必要性は低く、むしろ従来のように回転操作が簡単なロック機構の存在しないダイヤルが好ましい。
この点、特許文献３の技術は、ロックレバーをロック解除位置に設定しておけばダイヤルの回転操作が容易になり、前記した一部の撮影者の要望を満たすことは可能である。しかし、この特許文献３の技術ではダイヤルを回転操作する毎にロックレバーをロック解除位置に操作する必要があり、また、ロックレバーをロック解除位置からロック位置に戻し忘れたときには前記したようにダイヤルが意に反して移動されてしまうことがあり、ロック機構を備えたことの意味がないことになる。
【０００５】
本発明の目的はロック機構を備えるダイヤルにおいて、ロック機構を半固定的にロック解除状態とすることにより、ロック機構でのロック解除操作を簡略化したダイヤルを提供するものである。
【課題を解決するための手段】
【０００６】
本発明のロック機構付ダイヤルは、回転操作可能なダイヤル体と、常態のロック位置においてダイヤル体の回転を係止するロック部材と、操作されたときにロック部材をロック位置からダイヤル体の回転係止を解除するロック解除位置に移動させる第１ロック解除手段と、ロック部材をロック解除位置に保持する第２ロック解除手段とを備えることを特徴とする。ここで、ロック部材はダイヤル体の回転方向には固定で、当該回転方向と垂直な方向に移動でき、ダイヤル体と当該ロック部材の一方に設けたロック爪が他方に設けたロック溝に嵌合してダイヤル体の回転を係止する構成とする。
【０００７】
本発明における第１ロック解除手段は、初期位置への復帰習性が付与されており、この初期位置から移動操作されたときにロック部材を回転方向と垂直な方向に移動させるロックボタンとして構成される。このロックボタンはダイヤル体の回転方向と垂直な方向に移動操作され、頭部がダイヤル体の表面から突出され、当該頭部において押下操作されたときにロック部材をロック解除位置に移動させる構成とする。本発明においては、回転操作可能なダイヤル体と、前記ダイヤル体の回転を係止するロック位置と回転を許容するロック解除位置とを移動可能なロック部材と、前記ロック部材を前記ロック位置からロック解除位置に移動させる第１ロック解除手段と、前記ロック部材を前記ロック解除位置に保持する第２ロック解除手段とを備え、前記第１ロック解除手段と第２ロック解除手段は前記ダイヤル体の回転中心近傍もしくは当該ダイヤル体近傍に配設される構成とすることが好ましい。
【０００８】
本発明における第２ロック解除手段は、第１の形態として、少なくともロック解除状態を保持するロック解除保持位置への移動操作が可能なロックレバーとして構成されており、当該ロック解除保持位置に移動されたときにロック部材をロック解除位置に移動させかつ当該ロック解除位置に保持する構成である。このロックレバーはダイヤル体と同じ方向に回動操作可能であってロック部材に対して係合可能なカム機構を備え、ロック解除保持位置に回動位置されたときに当該カム機構によりロック部材をロック解除位置に移動保持する構成である。
【０００９】
本発明における第２ロック解除手段は、第２の形態として、第１ロック解除手段の移動操作によりロック部材をロック位置とロック解除位置に交互に切替えて移動させる構成である。この第１ロック解除手段の移動によってロック部材と共に移動されかつダイヤル体の回転方向に回転する回転子を備え、当該回転子は回転位置の変化によってロック部材をロック位置とロック解除位置とに移動させるカム機構を備える構成である。
【００１０】
本発明における第２ロック解除手段は、第３の形態として、ロック部材がロック解除位置に移動されたときの位置に第１ロック解除手段を係止する構成である。この第１ロック解除手段は移動方向の回りに軸転操作が可能であり、軸転操作された第１ロック解除手段を、ロック解除位置に保持する係止構造を備える構成である。
【発明の効果】
【００１１】
本発明によれば、第１ロック解除手段を操作することでダイヤル体のロック状態を解除してダイヤル体を回転操作することが可能になる。したがって、第１ロック解除手段を操作しながらダイヤル体を回転操作し、第１ロック解除手段の操作を行わないことでダイヤル体をロック状態としてダイヤル体が意に反して回転されることを防止することができ、ダイヤル操作の信頼性、安全性が高められる。また、第２ロック解除手段を操作することでダイヤル体のロック状態を解除するとともに、そのロック解除状態を保持することができる。これにより、第２ロック解除状態を操作すれば、以降はロック解除の操作を行わなくてもダイヤル体の回転操作が可能になり、ダイヤルの操作性が高められる。
【００１２】
本発明によれば、第１ロック解除手段をロックボタンで構成することにより、ロックボタンを押下すればロック解除されるので、ロックボタンを押下しながらダイヤル体を回転操作することができ、操作性が改善される。また、ロックボタンの押下を解消すればロック状態に復帰させることができる。
【００１３】
本発明の第２ロック解除手段の第１の形態によれば、第２ロック解除手段としてのロックレバーをロック解除位置に設定すれば半固定的にロック解除状態とすることができるので、その後における第１ロック手段、例えばロックボタンを操作しなくてもダイヤル体の回転操作が可能になる。
【００１４】
本発明の第２ロック解除手段の第２の形態によれば、第１ロック解除手段、例えばロックボタンを繰り返し押下することでロック解除状態とロック状態にそれぞれ半固定的に設定できるので、ロック状態およびロック解除状態への設定操作が容易であり、操作性が改善される。
【００１５】
本発明の第２ロック解除手段の第３の形態によれば、第１ロック解除手段、例えばロックボタンをロック解除位置に設定した後、これを軸転操作すれば半固定的にロック解除状態とすることができるので、ロック状態およびロック解除状態への設定操作が容易であり、操作性が改善されるとともに、部品点数を削減する上で有利である。
【図面の簡単な説明】
【００１６】
【図１】本発明のダイヤルを装備したカメラの外観図。
【図２】実施形態１のダイヤルの平面図。
【図３】実施形態１のダイヤルの部分分解斜視図。
【図４】図２のａ−ａ線、ｂ−ｂ線の断面図。
【図５】実施形態１のダイヤルのロック機構の部分分解斜視図。
【図６】実施形態１のダイヤルのロックおよびロック解除の動作を説明する断面図。
【図７】実施形態２のダイヤルの部分分解斜視図。
【図８】実施形態２のダイヤルのロックおよびロック解除の動作を説明する断面図。
【図９】実施形態３のダイヤルの一部を破断した斜視図。
【図１０】実施形態３のダイヤルの要部の部分分解斜視図。
【図１１】実施形態３のダイヤルのロックおよびロック解除の動作を説明する一部を破断した斜視図。
【発明を実施するための形態】
【００１７】
（実施形態１）
次に、本発明の実施の形態について図面を参照して説明する。図１は本発明のダイヤルをデジタル一眼レフカメラのモードダイヤルに適用した実施形態の外観斜視図、図２は当該モードダイヤルを含む図１のカメラの一部の平面図である。デジタル一眼レフカメラＣＡＭの背面側から見て上カバー（軍艦部）ＣＶＲの左側にモードダイヤルＭＤＬが配設されている。このモードダイヤルＭＤＬは、概略短円柱状に形成されたダイヤル体１を有し、このダイヤル体１の上側表面には複数の撮影モードに対応した指標が記載されたモード指標板１１が配設されている。この指標としては、例えば、プログラム撮影モードの「Ｐ」、絞り優先撮影モードの「Ａｖ」、シャッター速度優先撮影モードの「Ｔｖ」等々である。ダイヤル体１の周面はローレット加工が施されており、撮影者はこの周面を指で摘んでダイヤル体１を回転操作することにより、所望の撮影モードに設定することが可能である。また、前記モードダイヤルＭＤＬは、ダイヤル体１が意に反して回転されることがないように、詳細を後述するロック機構によってロック状態とされているが、ダイヤル体１の上側表面の中心に配設されているロックボタン２を押下することにより、押下している間はロック状態を解除してダイヤル体１を回転操作することが可能とされている。さらに、前記モードダイヤルＭＤＬの周面の下縁に沿って円周方向に往復操作可能なロックレバー３が配設されており、このロックレバー３の円周一部に設けた操作片３２を図２のロック位置「ＬＯＣＫ」から時計回り方向のロック解除位置にそれぞれ移動位置させることにより、前記したロック機構のロック状態を解除しかつロック状態とロック解除状態を半固定状態で保持することが可能とされている。後述の説明から分かるように、前記ロックボタン２は本発明の第１ロック解除手段であり、前記ロックレバー３は本発明の第２ロック解除手段である。
【００１８】
すなわち、このモードダイヤルＭＤＬでは、ロックレバー３の操作片３１をロック位置「ＬＯＣＫ」に設定しているときには、ロック機構によってダイヤル体１の回転がロックされ、ダイヤル体１が外力を受けあるいは他物体に接触されたときにも撮影者の意に反して回転されることがなく、誤ったモード設定が防止される。しかし、この状態でもロックボタン２を押下するとロックが解除され、ダイヤル体１を回転操作してモード設定することが可能になる。さらに、ロックレバー３をロック位置からロック解除位置に設定すると、ロックボタン２を押下しなくてもダイヤル体１を回転操作してモード設定することが可能となる。したがって、ダイヤル体１が意に反して回動することによる誤ったモード設定が生じないようにすることを望む撮影者は、ロックレバー３をロック位置に設定しておけばよく、その際にはロックボタン２を押下しながらダイヤル体１を回転操作することになる。一方、ダイヤル体１を回転操作する際にロックボタン２を押下することが煩わしいと考える撮影者は、ロックレバー３をロック解除位置に設定すれば、ロックボタン２を押下することなくダイヤル体１の回転操作が可能になる。
【００１９】
前記モードダイヤルＭＤＬの詳細について説明する。図３は前記モードダイヤルの部分分解斜視図、図４（ａ），（ｂ）は図２のａ−ａ線、ｂ−ｂ線の各断面図である。まず、図４に示すように、モードダイヤルＭＤＬの基本的な構成について説明する。前記したカメラの上カバーＣＶＲにモードダイヤルＭＤＬを配設するための円形の開口部Ｈが設けられており、この開口部Ｈの内側において親板４が図には表れないカメラボディ本体に支持されている。この親板４には、その上面のほぼ中央において下方から鉛直上方に向けてダイヤル止めネジ４１が挿通されるとともに、フレキシブル回路基板４２が固定支持されている。このフレキシブル回路基板４２の上面には前記ダイヤル止めネジ４１を中心にした円領域内に複数本の円弧状をした導電膜からなるコードパターン４３が形成されている。なお、このコードパターン４３の具体な形状については図示を省略している。
【００２０】
前記親板４の上側には、その上面との間に所定の上下間隙をおいてダイヤル軸受板５がネジ（図示せず）により一体的に支持されている。このダイヤル軸受板５は平面方向のほぼ中央に円筒状の軸受部５１が設けられており、この軸受部５１において前記ダイヤル体１はダイヤル軸受板５に対して水平方向に回転可能とされている。すなわち、前記ダイヤル体１は周面がローレット加工された所定径寸法の円筒状に形成されており、上面の中央領域が中央凹部として幾分下方に凹設されるとともに、この中央凹部の下面から下方に向けて円筒ボス部１２が一体に形成され、この円筒ボス部１２は前記軸受部５１により軸転可能な状態に内挿されている。前記円筒ボス部１２の下端部は前記ダイヤル軸受板５の下側にまで延長されており、この下端部に花弁板状に形成されたクリック板４４と円板状に形成されたブラシ板４５が前記ダイヤル止めネジ４１によって一体的に連結されている。これにより、これらクリック板４４とブラシ板４５はダイヤル体１と一体に回転動作されることになる。また、ダイヤル体１の上面には複数の撮影モードの指標を円周方向に沿って記載している円環状の前記した指標板１１が一体的に取り付けられている。
【００２１】
前記クリック板４４は円周の複数箇所、すなわちダイヤル体１によって設定する複数の撮影モードに対応する円周方向の配列位置にそれぞれ対応する径方向の切欠き４４１が形成されている。前記ブラシ板４５の上面には前記クリック板４４の切欠き４４１に対応するクリック凹部４５１が形成されている。これらの切欠き４４１とクリック凹部４４５は、前記ダイヤル軸受板５の下面の円周一部に配設されたクリックボール５２とクリックバネ５３と共にクリック機構を構成しており、ダイヤル体１の回転に伴ってクリック板４４とブラシ板４５が回転されたときに、クリックバネ５３によって下方に向けて付勢されたクリックボール５２が切欠き４４１を乗り越え、かつクリック凹部４５１に嵌合することによって当該ダイヤル体１を回転操作したときに前記複数の撮影モードの設定位置に対応させたクリック感を生じさせる。また、前記ブラシ板４５の下面には金属等の導電片からなる複数のブラシ片４６１を支持したダイヤルブラシ４６が支持されている。このダイヤルブラシ４６はブラシ板４５の回転に伴って前記フレキシブル回路基板４２の表面上で円周方向に摺動され、前記コードパターン４３に電気接触することで撮影モードに対応した電気的なコード信号を出力する。
【００２２】
このようなモードダイヤルＭＤＬの基本的な構成によれば、ダイヤル体１を回転操作することによりクリック機構、すなわちクリック板４４およびブラシ板４５と、クリックボール５２およびクリックバネ５３の協働によってダイヤル体１を複数の円周位置にクリック感をもって位置設定することが可能になる。また、ダイヤル体１の回転によってブラシ板４５が回転され、この回転によりダイヤルブラシ４６がフレキシブル回路基板４２のコードパターン４３上で摺動されることにより回転位置変化に対応したコード信号を出力する。したがって、ダイヤル体１の回転操作により生じるクリック位置を複数の撮影モードに対応した回転位置に設定し、かつこの回転位置とコードパターン４３とに対応関係を持たせることによって、撮影モードに対応したコード信号を出力することができる。したがって、カメラＣＡＭに内装されている図外の制御回路にこのコード信号を入力することにより、制御回路はカメラをダイヤル体１の回転位置に対応した撮影モードに設定することが可能になる。すなわち、モードダイヤルとして機能することが可能になる。
【００２３】
次いで、以上説明したモードダイヤルＭＤＬのロック機構を説明する。図５はロック機構の要部を部分分解して下方から見た図である。この図５と図３，４を参照すると、前記ダイヤル軸受板５の前記軸受部５１には、前記ダイヤル体１の下側領域においてロックバネ６とダイヤルロック板７が嵌装されている。ロックバネ６は圧縮コイルバネで構成されており、このロックバネ６のバネ力によってダイヤルロック板７は上方に向けて付勢されている。このダイヤルロック板７は本発明のロック部材に相当するものであり外周縁に三角形状の切欠きからなる複数のロック溝７１が円周方向に配列されている。また、ダイヤルロック板７の内周縁には下方に向けて複数個、ここでは円周方向を三等分した３つのボス片７２が突出形成されており、各ボス片７２の外面にはロック解除ピン７３が外径方向に突出形成され、各ボス片７２の内面には当接片７４が内径方向に突出形成されている。また、これら３つのボス片７２はそれぞれ前記ダイヤル軸受板５の円周３箇所に形成した円弧状の係止溝５４に上方から内挿されており、このボス片７２と係止溝５４との内挿構造によってダイヤルロック板７はダイヤル軸受板５に対して上下方向には移動可能であるが円周方向には一体化されている。すなわち、ダイヤルロック板７は回転が拘束された状態となっている。
【００２４】
一方、前記ダイヤル体１の円筒内上面の円周方向の一部には、内径方向に向けて三角形をしたロック爪１３が一体に形成されている。このロック爪１３は前記ダイヤルロック板７に形成したロック溝７１と同一形状であり、ここではダイヤル体１の円筒内上面の一部の下方に向けて板厚を増大させることによって形成している。このロック爪１３はダイヤルロック板７が上方に移動されたときには、当該ダイヤルロック板７の複数のロック溝７１のうち上下方向に対向位置されるロック溝７１に対して嵌合することができるようになっており、このようにロック爪１３とロック溝７１が嵌合されたときにはダイヤル体１はダイヤルロック板７に対して円周方向に一体化されることになる。すなわち、ダイヤルロック板７は回転が係止されているので、ダイヤル体１も回転が係止されることになる。
【００２５】
さらに、前記ダイヤル本体１の中央凹部の内部には、図３に示したように、本発明の第１ロック解除手段としてのロックボタン２が内装されている。このロックボタン２は中心の頭部が前記指標板１１の中央の穴を挿通されて当該指標板１１の表面から上方に突出され、ロック解除に際して撮影者によって押下操作されるものである。このロックボタン２は直径方向に突出された一対の係止爪２１と、この係止爪とは異なる円周位置において直径方向に突出された翼片２２が一体に形成されており、この翼片２２上にボタンバネ２３とボタン押さえ２４が配設されている。ボタンバネ２３は圧縮コイルバネで構成される。ボタン押さえ２４は円周方向の対向する２箇所に円弧状の周片２４１を有しており、前記ロックボタン２の両側面に設けた係止爪２１と周片２４１に設けた穴２４２との嵌合によってロックボタン２はボタン押さえ２４に対して上下方向の移動余裕が確保されている。そして、前記ボタンバネ２３によってロックボタン２はボタン押さえ２４に対して常に下方に向けて付勢されている。このボタンバネ２３は前記ロックバネ６のバネ力よりも小さいバネ力に設定されているが、このボタンバネ２３の付勢力によってロックボタン２は翼片２２の下面が前記ダイヤルロック板７の前記ボス片７２の内面に形成された当接片７４に上方から当接されることになる。この状態では、ロックボタン２の頭部は指標板１１の上から突出された状態とされる。また、ロックボタン２の前記翼片２２は前記ダイヤル本体１の中央凹部に設けられて上下方向に貫通された径方向の切欠き溝１４に内挿されるため、ロックボタン２はダイヤル本体１に対して円周方向に一体化された状態が保持されながら、ダイヤル本体１に対して上下方向に移動することが可能とされている。
【００２６】
他方、前記ダイヤル軸受板５の外周の前記ダイヤル体１との上下間には、本発明の第２ロック解除手段を構成している概ね円環状をした前記ロックレバー３が介装されている。このロックレバー３の円周一部には、図２，図６に示したように前記ダイヤル体１よりも外径側に突出された前記操作片３１が一体に形成され、撮影者が円周方向に操作することができるようになっている。なお、この操作片３１は図３ではダイヤルロック板７の陰になっているので図には表れていない。このロックレバー３の下面には円周２箇所にクリック凹部３２が形成されており、このクリック凹部３２は前記ダイヤル軸受板５の上面の円周一部に配設されたクリックボール５５とクリックバネ５６と協働してクリック機構を構成している。これにより、ロックレバー３が前記ロック位置とロック解除位置に回動操作されたときに、クリックバネ５６によって上方に向けて付勢されたクリックボール５５がクリック凹部３２に嵌合することによってこれらロック位置とロック解除位置の各回動位置においてクリック感を生じさせる。
【００２７】
前記ロックレバー３の内縁に沿った上面の円周三カ所には、前記ダイヤルロック板７の３つのボス片７２にそれぞれ設けたロック解除ピン７３に対応するロック解除カム３３が形成されている。このロック解除カム３３は、基端部がロックレバー３の内周縁の各一部に連結され、そこから先端部が時計方向（ロックレバー３を上方から見たとき）に沿って水平方向に向け、さらに斜め上方に向けて傾斜された片持片で形成されている。そして、このロック解除カム３３は、ロックレバー３がロック位置に回動位置されているときにはロック解除ピン７３から円周方向に離れた位置にあるが、ロックレバー３がロック解除位置に回動位置されたときにはロック解除カム３３の下面がロック解除ピン７３に係合し、自身の斜め形状および水平形状に沿ってロック解除ピン７３を下方に強制移動させ、これと一体のダイヤルロック板７を下方に移動させるように機能する。
【００２８】
この構成のロック機構におけるロック作用およびロック解除作用を図６の縦断面図を参照して説明する。ロックレバー３をロック位置に回動操作しているときには、図６（ａ）のように、ロックレバー３のロック解除カム３３はロック解除ピン７３とは係合されない位置にある。このとき、ロックバネ６のバネ力によってダイヤルロック板７は上方に付勢移動され、ダイヤル体１の内上面に当接される。そのため、ダイヤル体１の当該内上面の円周方向の一部に設けられている三角形のロック爪１３はダイヤルロック板７の同型をした複数のロック溝７１のうち対向位置されているロック溝７１に嵌合される。これにより、ダイヤル体１はダイヤルロック板７に対して円周方向に一体化され、またダイヤルロック板７は前記したようにダイヤル軸受板５によって回転が係止されているので、ダイヤル体１はロック状態とされて回転操作することができず、ダイヤル体１が意に反して回転されることはない。
【００２９】
この状態で、図６（ｂ）のようにロックボタン２を押下すると、ロックボタン２の翼片２２に当接している当接片７４を介してダイヤルロック板７はロックバネ６のバネ力に抗して下方に押し下げられる。これにより、ダイヤルロック板７のロック溝７１はダイヤル体１の内上面のロック爪１３との嵌合が外れ、ダイヤル体１とダイヤルロック板７との円周方向の一体化状態が解消される。したがって、ダイヤル体１はロック解除され、撮影者によって回転操作することが可能になる。このダイヤル体１の回転操作により複数の撮影モードの設定が可能になることは前記したとおりである。また、このときクリックボール５２等によるクリック機構によって各撮影モードへの回転設定時にクリック感が得られることも前記したとおりである。ロックボタン２はダイヤルロック板７と共にロックバネ６によって上方に付勢されているので、ロックボタン２の押下を解除するとロックボタン２とダイヤルロック板７は上方に復帰移動され、再びロック爪１３とロック溝７１との嵌合によってダイヤル体１がロック状態になることは言うまでもない。
【００３０】
一方、図６（ａ）のロック状態のときに、ロックレバー３を図２および図３の時計方向に小角度回動してロック解除位置に回動位置させると、ロックレバー３の３つのロック解除カム３３も同方向に回動され、図６（ａ）の右側に位置しているロック解除カム３３は同図の左方向に移動される。これにより、図６（ｃ）に示すように、ロック解除カム３３はダイヤルロック板７のロック解除ピン７３に係合し、ロック解除カム３３の下面の斜め形状および水平形状に沿ってロック解除ピン７３を下方に強制移動させ、これと一体のダイヤルロック板７を下方に移動させる。このダイヤルロック板７の下方への移動により、ロックボタン２を押下したときと同様に、ダイヤルロック板７のロック溝７１はダイヤル体１の内上面のロック爪１３との嵌合が外れ、ダイヤル体１とダイヤルロック板７との円周方向の一体化状態が解消される。これにより、ダイヤル体１はロック解除され、撮影者によって回転操作することが可能になる。なお、ロックレバー３をロック位置とロック解除位置に回動する際にクリックボール５５等によるクリック機構によりクリック感が得られる。また、ロックレバー３はロック位置とロック解除位置のそれぞれに半固定状態で設定されるので、ロックレバー３がロック解除位置に設定されている限りダイヤル体１のロック解除状態が保持されることになる。
【００３１】
以上のように、この実施形態１のモードダイヤルＭＤＬは、ロックボタン２を押下している間はロック解除の状態が保持されてダイヤル体１の回転操作が可能となる。また、ロックボタン２を押下していなくてもロックレバー３をロック解除位置に回動設定すれば、このロック解除位置に設定されている限りロック解除の状態が半固定的に保持されてダイヤル体１の回転操作が可能となる。したがって、前記したように、モードダイヤルＭＤＬが意に反して回動することによる誤ったモード設定を防止することを望む撮影者は、ロックレバー３をロック位置に設定しておけばよく、その際にはロックボタン２を押下しながらダイヤル体１を回転操作することになる。一方、モードダイヤルＭＤＬを回転操作する際にロックボタン２を押下することが煩わしいと考える撮影者は、ロックレバー３をロック解除位置に設定しておけば、以降はロックボタン２を押下することなくモードダイヤルＭＤＬの回転操作が可能になる。
【００３２】
（実施形態２）
図７は本発明の実施形態２のモードダイヤルの部分分解斜視図、図８（ａ），（ｂ）はそのロック状態とロック解除状態の縦断面図である。この実施形態２では、本発明の第１ロック解除手段としてのロックボタン２を備えていることは実施形態１と同じであるが、本発明の第２ロック解除手段として実施形態１のロックレバー３は備えていない。ここでは第２ロック解除手段として、第１ロック解除手段としてのロックボタン２を押下する操作を繰り返す毎にロック状態とロック解除状態を切り替え、かつこれらの状態を保持するように構成した機構を備えている。実施形態１と等価な部分には同一符号を付しており、これらについての詳細な説明は省略する。
【００３３】
図７において、ダイヤル軸受板５は実施形態１と同様に図には表れないカメラボディに固定されるものであり、このダイヤル軸受板５には同様にクリック板４４とブラシ板４５がダイヤル止めネジ４１によりダイヤル体１に対して固定され、ダイヤル体１と一体的に回転されるようになっている。前記ブラシ板４４には実施形態１で説明したと同様にフレキシブル回路基板に設けたコードパターンに対して摺動させるブラシや、ダイヤル体１の回転に伴ってクリック感を生じさせるクリック機構が設けられるが、ここでは図示は省略している。
【００３４】
この実施形態２の第２ロック解除手段では、前記ダイヤル軸受体５の上面の中心位置に筒状をした軸受部５１が立設されており、この軸受部５１の周面にカム５７が形成されている。このカムは円周方向に沿って縁部が鋸歯状をした鋸歯カム５７として形成されている。この鋸歯カム５７の配列ピッチは、ここではダイヤル体１で設定する撮影モードの配列ピッチに等しくされているが、この配列ピッチは任意に設定できる。また、この鋸歯カム５７は円周方向の１つおき毎にカムが欠損された欠損部５７ａとして構成されている。前記軸受部５１の外周にはロックバネ６が嵌装されるとともに、このロックバネ６の上に回転子８とダイヤルロック板７が順次載置され、これら回転子８とダイヤルロック板７はロックバネ６によって上方に向けて付勢されている。前記回転子８は前記軸受部５１の外径に等しい内径の短円筒状に形成されており、その上縁には円周方向に沿って前記鋸歯カム５７と等しい配列ピッチで三角歯８１が形成され、かつその内周面の円周一部には前記鋸歯カム５７に係合されるカム突起８２が一体に形成されている。
【００３５】
前記ダイヤル軸受板５の上面には、前記軸受部５１を囲む円周方向の３箇所に円弧壁５８が立設されており、これら円弧壁５８の円周方向の間隙内に前記ダイヤルロック板７の下面から下方に向けて突出されたボス片７２が嵌入されている。これにより、ダイヤルロック板７はダイヤル軸受板５に対して上下方向には移動可能であるが円周方向には一体化され、ダイヤルロック板７は回転が係止された状態となっている。ボス片７２に設けられた上下方向の溝７５はダイヤル軸受板５に設けた突起（図示せず）に係合され、このようなダイヤルロック板７の上下方向の移動を可能とするものである。このダイヤルロック板７の円周縁には前記三角歯８１および鋸歯カム５７１にそれぞれ等しい配列ピッチで複数のロック溝７１が形成されており、実施形態１と同様にダイヤル体１の内上面に形成されたロック爪（実施形態１のロック爪１３、ここでは図に表れない）に嵌合することによってダイヤル体１の回転をロック状態とする。さらに、ダイヤルロック板７のボス片７２の内面には、前記回転子８の三角歯８１に上方から当接して回転子８を下方に向けて押圧する押圧片７４が形成されている。なお、このダイヤルロック板７の上面には実施形態１と同様にロックボタン２の下面が当接され、ロックボタン２を押下したときにダイヤルロック板７を一体的に下方に押し下げるように構成されている。
【００３６】
実施形態２のロック機構では、ロックボタン２が押下されていない状態のときには、図８（ａ）のように、ダイヤルロック板７はロックバネ６の付勢力によって上方に移動され、ロック溝７１がダイヤル体１のロック爪１３に嵌合されている。これにより、ダイヤル体１はダイヤルロック板７によって回転が係止され、ロック状態とされている。また、ロックボタン２を押下すると、図８（ｂ）のように、ダイヤルロック板７に対して下方に移動する力が加えられる。このとき、回転子８のカム突起８２は鋸歯カム５７の欠損部５７ａに対応する回転位置にあるので、回転子８は下方向への移動が可能な状態にある。したがって、ロックボタン２の押下によりダイヤルロック板７と回転子８はロックバネ６の付勢力に抗して下動され、ダイヤルロック板７のロック溝７１がダイヤル体１のロック爪１３との嵌合から外れる。したがって、ダイヤル体１はダイヤルロック板７による回転の係止が解消され、ロック解除状態となる。
【００３７】
一方、ロックボタン２が押下されたときには、ダイヤルロック板７の押圧片７４が回転子８の三角歯８１に当接するが、この当接における三角歯８１でのテーパ作用（楔作用）によって回転子８は三角歯８１の円周方向の半ピッチ寸法だけ回転される。その後、ロックボタン２の押下を解除するとロックボタン２はロックバネ６のバネ力で幾分上方に復帰され、この復帰により回転子８はさらに三角歯８１の１ピッチ寸法だけ回転され、回転子８のカム突起８２はダイヤル軸受板５の鋸歯カム５７の欠損部５７ａから鋸歯カム５７に当接する位置に移動される。そのため、カム突起８２と鋸歯カム５７との係合によって回転子８は上方への完全復帰移動が係止される状態となり、これと同時にダイヤルロック板７も下動位置に保持される。これにより、ダイヤルロック板７のロック溝７１とダイヤル体１のロック爪１３との嵌合が解除され、ロック解除の状態が保持されることになる。
【００３８】
この状態から再びロックボタン２を押下すると、ダイヤルロック板７は僅かに下動されてその押圧片７４が回転子８の三角歯８１に当接し、三角歯８１でのテーパ作用によって回転子８はさらに三角歯８１の１ピッチ寸法だけ回転される。そのため、回転子８の内面のカム突起８２は今度は鋸歯カム５７から欠損部５７ａに移動され、回転子８は上方向への係止が解除された状態となる。これにより図８（ａ）に示したように、ロックバネ６のバネ力よって回転子８とダイヤルロック板７は上動され、ダイヤルロック板７のロック溝７１が再びダイヤル体１のロック爪１３に嵌合されることになり、ダイヤル体１はロック状態となる。このときロックボタン２は初期の高さ位置まで復帰される。
【００３９】
このように、実施形態２ではロックボタン２の１回の押下操作によってダイヤルロック板７が下動位置に保持されてダイヤル体１のロック解除状態が保持される。ロックボタンの次の１回の押下操作により、ダイヤルロック板７を上動位置に復帰させダイヤル体１の回転をロック状態とする。したがって、前記したように、モードダイヤルＭＤＬが意に反して回動することによる誤ったモード設定を防止することを望む撮影者は、ロックボタン２を１回押下してロック状態を解除してダイヤル体１を回転操作し、この回転操作が完了した後は再度ロックボタン２を押下操作することによりロックボタン２は初期位置にまで復帰され、ロック状態に設定されることになる。一方、モードダイヤルＭＤＬを回転操作する際にロックボタン２を押下することが煩わしいと考える撮影者は、ロックボタン２を１回押下してロック解除状態に設定しておけば、その後はロックボタン２を操作することなくダイヤル体１の回転操作が可能になる。
【００４０】
実施形態２では、実施形態１のロックレバー３が不要になるのでカメラにおけるモードダイヤルＭＤＬの配設スペースを低減できる。また、ロックボタン２の押下操作のみでロック状態とロック解除状態への設定が可能であり、かつロック解除状態を保持できるので操作性の点でも優れたものになる。
【００４１】
（実施形態３）
図９は本発明の実施形態３のモードダイヤルの一部を破断した斜視図、図１０はその主要部の分解斜視図である。この実施形態３では、実施形態１，２と同様にロック状態とロック解除状態を切り替える第１ロック解除手段としてのロックボタン２を備えているが、第２ロック解除手段としてはこのロックボタン２を軸回り方向に軸転操作してロック解除状態を保持する構成としている。実施形態１，２と等価な部分には同一符号を付し、これらについての詳細な説明は省略する。
【００４２】
実施形態３ではダイヤル体１とダイヤルロック板７の構成はほぼ実施形態１と同じである。また、その他の部位の構成についても実施形態１とほぼ同じである。実施形態３で特徴とされる第２ロック解除手段の構成は、ロックボタン２はボタン押さえ２４によりダイヤル体１の中心位置に保持されているが、ここではロックボタン２には翼片は設けられておらず、したがってボタン押さえ２４内で軸回り方向に小角度、例えば２０〜３０°程度だけ軸転操作が可能とされている。この軸転操作を可能とするために、例えばロックボタン２の頂面にはローレット加工が施されている。そして、ロックボタン２の下端寄りの周面の１箇所には径方向に係止突起２５が一体に突出形成されている。また、前記ボタン押さえ２４には、２つの周片２４１のうち、一方の周片の一部に前記係止突起２５が周方向に進入可能な係止溝２４３が切欠き形成されている。この係止溝２４３は前記係止突起２５が周方向に進入されたときに、当該係止突起２５に軸方向に係合され、係止突起２５およびロックボタン２が上方に移動することを係止するために設けられている。
【００４３】
実施形態３のロック機構では、ロックボタン２が押下されていない状態のときには、図９に示したように、ダイヤルロック板７は図には表れないロックバネの付勢力によって上方に移動され、ロック溝７１がダイヤル体１のロック爪１３に嵌合されている。これにより、ダイヤル体１はダイヤルロック板７によって回転が係止され、ロック状態とされている。ロックボタン２を押下すると、図１１（ａ）のように、ロックボタン２によってダイヤルロック板７は下方に移動され、ダイヤルロック板７のロック溝７１がダイヤル体１のロック爪１３との嵌合から外れる。したがって、ダイヤル体１はダイヤルロック板７による回転の係止が解消され、ロック解除状態となる。
【００４４】
この状態でロックボタンを図１１（ｂ）のように時計方向に小角度だけ軸転操作すると、ロックボタン２の係止突起２５が時計周方向に移動され、ボタン押さえ２４の係止溝２４３に進入され、係止溝２４３と係止突起２５とが軸方向に係合される。これにより、ロックボタン２は押下した下動位置に保持され、これと一体的にダイヤルロック板７は下動位置に保持され、ロック溝７１とロック爪１３によるダイヤル体１のロック解除状態が保持される。
【００４５】
この状態から、ロックボタン２を反時計方向に小角度だけ軸転操作すると、図１１（ａ）のように、ロックボタン２の係止突起２５が反時計周方向に移動され、ボタン押さえ２４の係止溝２４３から離脱される。これにより、図９のように、ロックボタン２はロックバネのバネ力によって初期の状態にまで上動され、ダイヤルロック板７もこれと一体的に上動される。したがって、ダイヤルロック板７のロック溝７１はふたたびダイヤル体１のロック爪１３に嵌合されることになり、ダイヤル体１はロック状態となる。
【００４６】
このように、実施形態３ではロックボタン２が押下されることによってダイヤルロック板７が下動されてロック解除状態となり、この状態でロックボタン２を軸転操作することによってロック解除状態が保持される。ロックボタン２を反対方向に軸転操作することによりロックボタン２を復帰させ、ダイヤルロック板７を上動させてロック状態とする。したがって、前記したように、モードダイヤルＭＤＬが意に反して回動することによる誤ったモード設定を防止することを望む撮影者は、ロックボタン２を押下してロック状態を解除した状態でダイヤル体１を回転操作し、回転操作の完了後は単にロックボタン２の押下を解除すればよい。これによりダイヤル体１はロック状態となる。一方、モードダイヤルＭＤＬを回転操作する際にロックボタン２を押下することが煩わしいと考える撮影者は、ロックボタン２を１回押下してロック解除状態とした上で、ロックボタン２を軸転操作すればロック解除状態を保持することができ、その後はロックボタン２を操作することなくダイヤル体１の回転操作が可能になる。
【００４７】
実施形態３では、実施形態１のロックレバー３が不要になり、また実施形態２の回転子８が不要になるので構造を簡略化して小型化が可能になるとともに、カメラにおけるモードダイヤルＭＤＬの配設スペースを低減できる。また、ロックボタン２の押下操作でロック状態とロック解除状態への設定が可能であり、かつロックボタン２の軸転操作でロック解除状態を保持できるので操作性の点でも優れたものになる。
【００４８】
本発明のダイヤルは実施形態に記載したようなカメラのモード設定ダイヤルに限られるものではなく、ダイヤルの回転位置をロック状態とすることが要求されるダイヤルであれば適用できる。また、ダイヤルは少なくとも２つの回転位置に設定することが可能なダイヤルであれば本発明を適用することが可能であり、実施形態に記載の多数の回転位置に設定するダイヤルに限られるものではない。
【００４９】
実施形態１〜３においては、本発明における第１ロック解除手段はロックボタンで構成され、第２ロック解除手段はロックレバーやロックボタンで構成された例を示したが、各ロック手段はこれらの形態に限られるものではなく、適宜の変形は可能である。また、各実施形態においては、本発明におけるロック部材を板状のダイヤルロック板で構成しているが、回転位置が係止される構成の部材であればよく、必ずしも実施形態に記載のような板状の部材でなくてもよい。
【産業上の利用可能性】
【００５０】
本発明はダイヤルの回転位置を係止するためのロック機構を備えたダイヤルに採用して有効である。
【符号の説明】
【００５１】
ＣＡＭ  カメラ
ＣＶＲ  上カバー
ＭＤＬ  モードダイヤル
１  ダイヤル体
２  ロックボタン（第１のロック解除手段）
３  ロックレバー（第２のロック解除手段）
４  ダイヤル親板
５  ダイヤル軸受板
６  ロックバネ
７  ダイヤルロック板
８  回転子
１１  指標板
１３  ロック爪
２３  ボタンバネ
２５  係止突起
３１  操作片
３３  ロック解除カム
４４  クリック板
４５  ブラシ板
７１  ロック溝
７３  ロック解除ピン
２４３  係止溝
【図１】
2015068872.tif 000003
【図２】
2015068872.tif 000004
【図３】
2015068872.tif 000005
【図４】
2015068872.tif 000006
【図５】
2015068872.tif 000007
【図６】
2015068872.tif 000008
【図７】
2015068872.tif 000009
【図８】
2015068872.tif 000010
【図９】
2015068872.tif 000011
【図１０】
2015068872.tif 000012
【図１１】
2015068872.tif 000013